(57)【要約】【課題】基板に対するハウジングの姿勢の傾きを防止する。【解決手段】基板用コネクタは、ハウジングの外面を構成し、実装面と対向可能な基板用対向面と、基板用対向面に形成された一対の第１支持部と、基板用対向面に形成された１つの第２支持部とを有する。一対の第１支持部は、幅方向に間隔を空けて配され、１つの第２支持部は、幅方向において一対の第１支持部に挟まれた位置であり、且つ幅方向と交差する方向において一対の第１支持部と異なる位置に配されている。ハウジングは、一対の第１支持部と１つの第２支持部のみを実装面に当てた状態で基板に設置可能である。【選択図】図２
2020145135.tif 000002
【特許請求の範囲】
【請求項１】
基板の実装面に設置可能なハウジングと、
前記ハウジングに対し幅方向に並列した状態で保持され、前記基板に対して接続可能な複数の端子金具と、
前記ハウジングの外面を構成し、前記実装面と対向可能な基板用対向面と、
前記基板用対向面に形成された一対の第１支持部と、
前記基板用対向面に形成された１つの第２支持部とを備え、
前記一対の第１支持部は、前記幅方向に間隔を空けて配され、
前記１つの第２支持部は、前記幅方向においては前記一対の第１支持部に挟まれた位置であり、且つ前記幅方向と交差する方向においては前記一対の第１支持部と異なる位置に配され、
前記ハウジングは、前記一対の第１支持部と前記１つの第２支持部のみを前記実装面に当てた状態で前記基板に設置可能である基板用コネクタ。
【請求項２】
前記ハウジングには、金属製の固定部材が、前記実装面に接近する向きに圧入されており、
前記固定部材が前記実装面に固定されることで、前記ハウジングが前記基板からの離脱を規制されるようになっている請求項１に記載の基板用コネクタ。
【請求項３】
前記固定部材は、前記基板のスルーホールに挿入可能な脚部を有し、
前記脚部が半田付けにより前記基板に固着されるようになっている請求項２に記載の基板用コネクタ。
【請求項４】
前記ハウジングは、前記実装面と直交する向きに相手側コネクタを嵌合させる嵌合部を有している請求項１から請求項３のいずれか１項に記載の基板用コネクタ。
【発明の詳細な説明】
【技術分野】
【０００１】
本開示は、基板用コネクタに関するものである。
【背景技術】
【０００２】
特許文献１には、基板に設置される基板用コネクタが開示されている。この基板用コネクタは、基板の表面に載置される合成樹脂製のハウジングと、幅方向に並列した状態でハウジングに保持される複数の端子金具とを備えている。複数の端子金具は、ハウジングを前後方向に貫通した形態である。ハウジングにおける基板との対向面の四隅には設置面が形成されている。ハウジングは、基板の表面に対し４つの設置面だけを接触させた状態で設置されるようになっている。ハウジングの幅方向両外側面には一対の固定部材が組み付けられている。ハウジングは、固定部材を半田付けすることにより基板に固定されている。複数の端子金具は、半田付けにより基板に対して導通可能に接続されるようになっている。
【先行技術文献】
【特許文献】
【０００３】
【特許文献１】特開２０１８−１２５２２５号公報
【特許文献２】特開２０１５−０５６２０２号公報
【特許文献３】特開２０１０−０８０１６３号公報
【発明の概要】
【発明が解決しようとする課題】
【０００４】
基板の表面の平面度が低い場合やハウジングの寸法公差が大きい場合は、４つの設置面の全てが基板の表面に接触しない状態でハウジングが基板に固定されることがある。この場合、ハウジングが基板側へ押されたときに、基板に対するハウジングの姿勢が変化するおそれがある。基板に対するハウジングの姿勢が傾くと、ハウジングに組み付けられている固定部材と基板との半田付け部分への負荷が増大したり、ハウジングに保持されている端子金具と基板との接続部分への負荷が増大したりすることが懸念される。
【０００５】
本開示の基板用コネクタは、上記のような事情に基づいて完成されたものであって、基板に対するハウジングの姿勢の傾きを防止することを目的とする。
【課題を解決するための手段】
【０００６】
本開示の基板用コネクタは、
基板の実装面に設置可能なハウジングと、
前記ハウジングに対し幅方向に並列した状態で保持され、前記基板に対して接続可能な複数の端子金具と、
前記ハウジングの外面を構成し、前記実装面と対向可能な基板用対向面と、
前記基板用対向面に形成された一対の第１支持部と、
前記基板用対向面に形成された１つの第２支持部とを備え、
前記一対の第１支持部は、前記幅方向に間隔を空けて配され、
前記１つの第２支持部は、前記幅方向においては前記一対の第１支持部に挟まれた位置であり、且つ前記幅方向と交差する方向においては前記一対の第１支持部と異なる位置に配され、
前記ハウジングは、前記一対の第１支持部と前記１つの第２支持部のみを前記実装面に当てた状態で前記基板に設置可能である。
【発明の効果】
【０００７】
本開示の基板用コネクタによれば、基板に対するハウジングの姿勢の傾きを防止することができる。
【図面の簡単な説明】
【０００８】
【図１】実施形態１の基板用コネクタの斜視図である。
【図２】基板用コネクタの底面図である。
【図３】基板用コネクタを基板に設置した状態をあらわす一部切欠正面図である。
【図４】基板用コネクタを基板に設置した状態をあらわす一部切欠右側面図である。
【図５】図３のＸ−Ｘ線断面図である。
【発明を実施するための形態】
【０００９】
［本開示の実施形態の説明］
最初に本開示の実施形態を列記して説明する。
本開示の基板用コネクタは、
（１）基板の実装面に設置可能なハウジングと、
前記ハウジングに対し幅方向に並列した状態で保持され、前記基板に対して接続可能な複数の端子金具と、
前記ハウジングの外面を構成し、前記実装面と対向可能な基板用対向面と、
前記基板用対向面に形成された一対の第１支持部と、
前記基板用対向面に形成された１つの第２支持部とを備え、
前記一対の第１支持部は、前記幅方向に間隔を空けて配され、
前記１つの第２支持部は、前記幅方向においては前記一対の第１支持部に挟まれた位置であり、且つ前記幅方向と交差する方向においては前記一対の第１支持部と異なる位置に配され、
前記ハウジングは、前記一対の第１支持部と前記１つの第２支持部のみを前記実装面に当てた状態で前記基板に設置可能である。
【００１０】
第１の開示の構成によれば、ハウジングは、一対の第１支持部と１つの第２支持部のみを実装面に当てた状態で基板に設置される。一対の第１支持部は、幅方向に間隔を空けて配されている。１つの第２支持部は、幅方向においては一対の第１支持部に挟まれた位置であり、且つ幅方向と交差する方向においては一対の第１支持部と異なる位置に配されている。したがって、基板に対してハウジングの姿勢が傾くおそれがない。
【００１１】
（２）前記ハウジングには、金属製の固定部材が、前記実装面に接近する向きに圧入されており、前記固定部材が前記実装面に固定されることで、前記ハウジングが前記基板からの離脱を規制されるようになっていることが好ましい。この構成によれば、金属製の固定部材を半田付けによって実装面に固着することにより、ハウジングが基板から離脱することを確実に防止できる。また、ハウジングは、基板側へ押されても基板に対して傾くことがないので、ハウジングの傾きに起因してハウジングが固定部材から離脱するおそれはない。
【００１２】
（３）（２）において、前記固定部材は、前記基板のスルーホールに挿入可能な脚部を有し、前記脚部が半田付けにより前記基板に固着されるようになっていてもよい。この構成によれば、スルーホールに脚部が挿入されることにより、ハウジングは、基板に対し実装面と平行な方向へ位置ずれすることを規制される。ハウジングが、外力の作用等によって姿勢を傾けながら実装面側へ接近した場合、ハウジングに圧入されている固定部材の脚部も、基板に対して相対変位することが懸念される。しかし、ハウジングは、基板に対して姿勢を傾けることがないので、脚部は、基板に対して相対変位することがなく、基板に対して固着した状態に保持される。
【００１３】
（４）前記ハウジングは、前記実装面と直交する向きに相手側コネクタを嵌合させる嵌合部を有していることが好ましい。この構成によれば、ハウジングの嵌合部に相手側コネクタが嵌合されるときには、相手側コネクタから付与される嵌合力によってハウジングが実装面側へ押される。ハウジングは、一対の第１支持部と１つの第２支持部とによって基板に対する傾きを規制されているので、ハウジングの姿勢の傾きに起因して嵌合動作に支障をきたすことはない。
【００１４】
［本開示の実施形態の詳細］
［実施例１］
本開示の基板用コネクタＡを具体化した実施例１を、図１〜図５を参照して説明する。本実施例１において、前後の方向については、図１，２，４における左方を前方と定義する。上下の方向については、図１，３〜５にあらわれる向き（基板４０を水平にして基板４０の実装面４１を上向きとし、実装面４１に基板用コネクタＡを設置した状態）を、そのまま上方、下方と定義する。左右の方向については、図１，３にあらわれる向きを、そのまま左方、右方と定義する。左右方向と幅方向は、同義で用いる。
【００１５】
図１〜３に示すように、基板用コネクタＡは、ハウジング１０と、複数の端子金具２５と、左右一対の固定部材３０とを備えて構成されている。ハウジング１０は、合成樹脂製であり、全体として長辺を幅方向に向けた直方形をなす。ハウジング１０は、長辺を幅方向に向けた端子保持部１１と、端子保持部１１の外周縁の全周領域から上方へ角筒状に突出したフード状の嵌合部１２とを有する単一部材である。
【００１６】
図３〜５に示すように、基板用コネクタＡは、基板４０の実装面４１（表面）に固定して設置されるものである。実装面４１にはプリント回路（図示省略）が設けられている。基板４０には、実装面４１から裏面に貫通した形態の複数のスルーホール４２が形成されている。複数のスルーホール４２は、図３に示すように、幅方向（左右方向）に間隔を空けた２つの領域に配されている。各領域において、複数のスルーホール４２が前後方向に間隔を空けて配されている。各スルーホール４２には、固定部材３０の脚部３２が挿入されるようになっている。
【００１７】
図１，５に示すように、複数の端子金具２５は、細長い金属部材に曲げ加工を施したものである。各端子金具２５は、上下方向（実装面４１と直角な方向）に延びるハーネス用接続部２６と、ハーネス用接続部２６の下端部から前方又は後方へ延出した基板用接続部２７とを有する。端子金具２５の側面視形状は、略Ｌ字形をなす。端子金具２５は、ハーネス用接続部２６をハウジング１０の下方から端子保持部１１に貫通させた状態で、ハウジング１０に取り付けられている。ハウジング１０に端子金具２５を取り付けた状態では、ハーネス用接続部２６が嵌合部１２内において上向きに突出した形態で収容される。
【００１８】
図２，５に示すように、ハウジング１０に取り付けられた複数の端子金具２５は、前列と後列に分かれて配置されている。前列を構成する複数の端子金具２５は、ハーネス用接続部２６が幅方向に一列に並ぶように配置され、基板用接続部２７を前方へ突出させた状態でハウジング１０に保持されている。後列を構成する複数の端子金具２５は、ハーネス用接続部２６が幅方向に一列に並ぶように配置され、基板用接続部２７を後方へ突出させた状態でハウジング１０に保持されている。
【００１９】
図２，３に示すように、ハウジング１０の外面のうち端子保持部１１の下面は、基板用対向面１３となっている。基板用対向面１３は、基板用コネクタＡ（ハウジング１０）を基板４０に取り付けた状態において、実装面４１に対し平行に対向する面である。基板用対向面１３のうち底面視においてハーネス用接続部２６が貫通される部位には、幅方向に細長いリブ状保持部１４Ｆ，１４Ｒが形成されている。リブ状保持部１４Ｆ，１４Ｒは、基板用対向面１３よりも下方（実装面４１側）へ突出している。前列用のリブ状保持部１４Ｆは、幅方向に間隔を空けて直列状に並ぶように配置されている。後列用のリブ状保持部１４Ｒも、幅方向に間隔を空けて直列状に並ぶように配置されている。
【００２０】
図１〜３に示すように、ハウジング１０は、基板用対向面１３の幅方向両端縁部から下方（実装面４１側）へ突出した形態の一対の側壁部１５を有する。一対の側壁部１５は、基板用対向面１３よりも下方へ突出している。図３に示すように、基板用対向面１３からの側壁部１５の突出寸法は、基板用対向面１３からのリブ状保持部１４Ｆ，１４Ｒの突出寸法より大きい。
【００２１】
図１，２，４，５に示すように、一対の側壁部１５の後端部には、左右対称な一対の第１支持部１６が形成されている。一対の第１支持部１６は、互いに幅方向に間隔を空けた位置関係であり、ハウジング１０（基板用対向面１３）の幅方向における両端部に配置されている。一対の第１支持部１６は、幅方向において、複数の端子金具２５の配置領域全体を挟む２位置に配置されている。一対の第１支持部１６は、前後方向（幅方向と交差する方向）において、後列の端子金具２５のハーネス用接続部２６（後列用のリブ状保持部１４Ｒ）よりも後方に配置されている。
【００２２】
図４，５に示すように、第１支持部１６は、側壁部１５のうち第１支持部１６よりも前方の領域に対し、下方（実装面４１側）へ段差状に突出した形状である。第１支持部１６の下端面（突出端面）は、平面からなる第１支持面１７となっている。図２に示すように、ハウジング１０を下側（基板４０側）から視た底面視において、第１支持面１７は方形をなしている。図３〜５に示すように、基板用対向面１３を実装面４１と平行に対向させた状態において、第１支持面１７の高さは、リブ状保持部１４Ｆ，１４Ｒの下面よりも低く、基板用接続部２７の下面よりも僅かに低い位置である。
【００２３】
図１〜３に示すように、ハウジング１０は、基板用対向面１３から下方（実装面４１側）へ突出した形態の第２支持部１８を有する。第２支持部１８の数は１つだけである。第２支持部１８の下端面（突出端面）は、平面からなる第２支持面１９となっている。図２に示すように、ハウジング１０を下側（基板４０側）から視た底面視において、第２支持面１９は方形をなしている。図３〜５に示すように、基板用対向面１３を実装面４１と平行に対向させた状態において、第２支持面１９の高さは、一対の第１支持面１７と同じ高さである。即ち、第２支持面１９の高さは、リブ状保持部１４Ｆ，１４Ｒの下面よりも低く、基板用接続部２７の下面よりも僅かに低い位置である。
【００２４】
図２に示すように、第２支持部１８（第２支持面１９）は、幅方向において、２つの前列側のリブ状保持部１４Ｆの間に位置し、一対の第１支持部１６の間に挟まるように配置されている。前後方向において、第２支持部１８の後端部は、前列の端子金具２５のハーネス用接続部２６（前列用のリブ状保持部１４Ｆ）と重なるように位置する。前後方向において、第２支持面１９の全体は、前列の端子金具２５のハーネス用接続部２６（前列用のリブ状保持部１４Ｆ）よりも前方に位置している。
【００２５】
図１，４，５に示すように、ハウジング１０の幅方向における両外側面には、それぞれ、上下方向に延びる前後一対の溝状圧入部２０が形成されている。対をなす溝状圧入部２０は、前後方向に間隔を空けて配置され、互いに相手側に向かって開口するように対向している。溝状圧入部２０の上端部は、上方へ開放されている。図５に示すように、溝状圧入部２０内には、上方に面するストッパ２１が形成されている。
【００２６】
一対の固定部材３０は、金属板材に曲げ加工を施したものである。図４，５に示すように、固定部材３０は、平板状をなす本体部３１と、本体部３１の下端縁から下方へ突出した複数の脚部３２とを有する単一部材である。複数の脚部３２は、前後方向に間隔を空けて配置されている。本体部３１からの脚部３２の突出方向は、ハウジング１０に対する固定部材３０の組み付け方向と同じ方向である。固定部材３０は、ハウジング１０の上方から本体部３１の前後両側縁部を溝状圧入部２０に圧入することにより、ハウジング１０に組み付けられている。ハウジング１０に対する固定部材３０の組付け方向は、基板用コネクタＡを基板４０に設置した状態において、実装面４１に対する基板用対向面１３の対向方向と同じ方向である。
【００２７】
固定部材３０がハウジング１０に対し正規の位置まで組み付けられると、本体部３１の上端部に形成した前後一対の突起部３３がストッパ２１に当たる。これにより、固定部材３０がハウジング１０に対し上下方向に位置決めされる。固定部材３０がハウジング１０に組み付けられた状態では、複数の脚部３２が一対の側壁部１５の下端面から下方へ突出する。脚部３２は、第１支持部１６よりも前方の領域に配置されている。脚部３２の下端（突出端）は、第１支持面１７、第２支持面１９及び基板用接続部２７よりも下方に位置する。
【００２８】
基板用コネクタＡを基板４０に取り付ける際には、固定部材３０の脚部３２を基板４０の上方からスルーホール４２に挿入し、一対の第１支持面１７と１つの第２支持面１９を、実装面４１に対し面当たり状態で載置する。このとき、ハウジング１０における基板４０との対向面（基板用対向面１３）のうち実装面４１に接触するのは、一対の第１支持部１６（第１支持面１７）と１つの第２支持部１８（第２支持面１９）だけである。第１支持部１６と第２支持部１８を実装面４１に載置した状態では、基板用接続部２７の下面が実装面４１に対し僅かに間隔を空けている。
【００２９】
次に、スルーホール４２に挿入されている脚部３２を、基板４０に対し半田付け３５により固着することにより、固定部材３０を基板４０に固定する。スルーホール４２に脚部３２が挿入されることにより、ハウジング１０は、基板４０に対し実装面４１と平行な方向へ位置ずれすることを規制される。固定部材３０を基板４０に固定する工程と前後又は同時に、基板用接続部２７を、実装面４１のプリント回路に対し半田付け３５により導通可能に接続する。これらの半田付け３５の工程の間、一対の第１支持部１６と１つの第２支持部１８は、実装面４１に面接触させた状態に保たれる。この半田付け３５の工程が終了すると、基板４０に対する基板用コネクタＡの取付けが完了する。
【００３０】
本実施例１の基板用コネクタＡは、１つのハウジング１０と複数の端子金具２５とを備えている。ハウジング１０は、基板４０の実装面４１に設置可能である。複数の端子金具２５は、それぞれ、基板４０に対して接続可能な基板用接続部２７を有する。複数の端子金具２５は、ハウジング１０に対し幅方向に並列した状態で保持される。複数の基板用接続部２７も幅方向に並ぶ。
【００３１】
基板用コネクタＡは、ハウジング１０の外面を構成する基板用対向面１３を有する。即ち、ハウジング１０の外面の一部が基板用対向面１３となっている。基板用対向面１３は、実装面４１と対向可能であり、基板用コネクタＡ（ハウジング１０）を基板４０に取り付けた状態において実装面４１と平行をなす。
【００３２】
基板用対向面１３には、一対の第１支持部１６と、１つの第２支持部１８とが形成されている。一対の第１支持部１６は、幅方向に間隔を空けた２位置に配されている。１つの第２支持部１８は、幅方向においては一対の第１支持部１６に挟まれた位置に配されている。１つの第２支持部１８は、幅方向と交差する前後方向においては、一対の第１支持部１６と異なる位置（第１支持部１６よりも前方へずれた位置）に配されている。基板用対向面１３の形成領域内においては、ハウジング１０（基板用対向面１３）のうち一対の第１支持部１６と１つの第２支持部１８のみが最も外面側へ突出した形態である。
【００３３】
したがって、ハウジング１０は、一対の第１支持部１６（第１支持面１７）と１つの第２支持部１８（第２支持面１９）のみを実装面４１に当てた状態で基板４０に設置可能となっている。一対の第１支持部１６（第１支持面１７）と１つの第２支持部１８（第２支持面１９）のみを実装面４１に当てた状態では、ハウジング１０に対して基板４０（実装面４１）側へ押す向きの外力が作用しても、ハウジング１０の姿勢が基板４０（実装面４１）に対して傾くおそれがない。したがって、ハウジング１０に組み付けられている固定部材３０と基板４０とが半田付け３５がされている部分への負荷が増大したり、ハウジング１０に保持されている端子金具２５と基板４０との接続部分（半田付け３５がされている部分）への負荷が増大したりすることはない。
【００３４】
ハウジング１０に組み付けた金属製の固定部材３０が、半田付け３５により実装面４１に固定されるようになっている。固定部材３０を半田付け３５によって実装面４１に固着することにより、ハウジング１０が基板４０から離脱することを確実に防止できる。ハウジング１０は、基板４０側へ押されても基板４０に対して傾くことがないので、ハウジング１０の傾きに起因してハウジング１０が固定部材３０から離脱するおそれはない。
【００３５】
本実施例１の基板用コネクタＡは、固定部材３０がハウジング１０に対し圧入により組み付けられている。ハウジング１０に対する固定部材３０の組付け方向（圧入方向）は、実装面４１に接近する向きであり、換言すると、実装面４１に対する基板用対向面１３の対向方向と平行な方向である。そのため、ハウジング１０に対し実装面４１側へ押す方向に外力が作用したときに、ハウジング１０が実装面４１側へ接近するように傾くと、固定部材３０が組み付けられている溝状圧入部２０が変形して、ハウジング１０が固定部材３０に対して相対変位することが懸念される。しかし、ハウジング１０は実装面４１に対して傾くことがないので、ハウジング１０と固定部材３０とが相対変位することはなく、ハウジング１０と固定部材３０の組付け状態が保持される。
【００３６】
また、ハウジング１０が、外力を受けること等により、姿勢を傾けながら実装面４１側へ接近した場合、ハウジング１０に圧入されている固定部材３０の脚部３２が、基板４０に対して相対変位することが懸念される。しかし、ハウジング１０は基板４０に対して姿勢を傾けることがないので、脚部３２は基板４０に対して相対変位することがない。したがって、固定部材３０（脚部３２）は基板４０に対して固着した状態に保持される。
【００３７】
ハウジング１０は、実装面４１とは反対側（上方）から実装面４１と直交する向きに相手側コネクタＢ（図４を参照）を嵌合させるための嵌合部１２を有している。ハウジング１０の嵌合部１２に相手側コネクタが嵌合されるときには、相手側コネクタから付与される嵌合力によってハウジング１０が実装面４１側へ押される。ハウジング１０は、一対の第１支持部１６と１つの第２支持部１８とによって基板４０に対する傾きを規制されているので、ハウジング１０の姿勢の傾きに起因して嵌合動作に支障をきたすことはない。
【００３８】
［他の実施例］
本発明は、上記記述及び図面によって説明した実施例１に限定されるものではなく、特許請求の範囲によって示される。本発明には、特許請求の範囲と均等の意味及び特許請求の範囲内でのすべての変更が含まれ、下記のような実施形態も含まれることが意図される。
上記実施例１では、基板に対するハウジングの離脱を固定部材によって規制するようにしたが、固定部材を用いずに、ハウジングを直接基板に引っ掛けることにより、基板に対するハウジングの離脱を規制にしてもよい。
上記実施例１では、ハウジングに対し、実装面とは反対側から相手側コネクタが嵌合されるようになっているが、ハウジングに対する相手側コネクタの嵌合方向は、実装面と平行な向きであってもよい。
上記実施例１では、固定部材の脚部を基板のスルーホールに挿入するようにしたが、固定部材は実装面に載置した状態で半田付けされてもよい。
【符号の説明】
【００３９】
１０：ハウジング
１１：端子保持部
１２：嵌合部
１３：基板用対向面
１４Ｆ：リブ状保持部
１４Ｒ：リブ状保持部
１５：側壁部
１６：第１支持部
１７：第１支持面
１８：第２支持部
１９：第２支持面
２０：溝状圧入部
２１：ストッパ
２５：端子金具
２６：ハーネス用接続部
２７：基板用接続部
３０：固定部材
３１：本体部
３２：脚部
３３：突起部
３５：半田付け
４０：基板
４１：実装面
４２：スルーホール
Ａ：基板用コネクタ
Ｂ：相手側コネクタ
【図１】
2020145135.tif 000003
【図２】
2020145135.tif 000004
【図３】
2020145135.tif 000005
【図４】
2020145135.tif 000006
【図５】
2020145135.tif 000007